(57)【要約】【課題】測定子を外力から防護すること【解決手段】粘度計は、粘度測定の際に、粘度測定対象物中に浸漬される一対の同一形状の測定子１０を備えている。測定子１０は、粘度計本体１２に吊下げ支持されており、本体１２一端側には、測定子１０の上部側を覆うセンサーカバー１３が垂設支持されている。粘度計は、測定子１０の下方に突出して、測定子１０を外力による損傷から防護するプロテクタ１４を設けている。プロテクタ１４は、底部１４ａと、この底部１４ａの両端に垂設された一対の側壁部１４ｂとを備え、正面側から見た形状が概略凹形に形成されている。プロテクタ１４は、本実施例の場合、センサーカバー１３を介して、粘度計本体１２に着脱自在に装着されている。【選択図】  図１
2004325279.tif 000002
【特許請求の範囲】
【請求項１】
粘度測定の際に、粘度測定対象物中に浸漬される測定子を有する粘度計において、
前記測定子の下方に突出して、前記測定子を外力による損傷から防護するプロテクタを設けたことを特徴とする粘度計。
【請求項２】
前記プロテクタは、測定子を吊下げ支持する粘度計本体に着脱自在に装着することを特徴とする請求項１記載の粘度計。
【請求項３】
前記プロテクタは、前記粘度計本体に揺動自在に装着され、前記測定子の下方突出位置から、上方へ概略９０°回動させた水平よりも上方位置に揺動させることを特徴とする請求項１または２記載の粘度計。
【請求項４】
前記プロテクタは、前記測定子の外周側を凹状に包囲することを特徴とする請求項１から３のいずれか１項記載の粘度計。
【請求項５】
前記粘度計本体は、前記測定子の外周を覆うセンサーカバーを備え、当該センサーカバーにフレームを取り付け、このフレームに前記プロテクタを装着することを特徴とする請求項１から４のいずれか１項記載の粘度計。
【請求項６】
前記プロテクタは、金属プレートなどの弾性材で、底部とその両端に垂設された一対の側壁部とを有する凹形形状に形成され、前記底部が前記測定子の下方に突出し、かつ、前記側壁部が前記測定子の側方を覆うようにして、前記側壁部の先端側を弾性変形させて前記フレームに着脱自在に装着することを特徴とする請求項５記載の粘度計。
【請求項７】
前記フレームと前記側壁部の開口端部には、相互に嵌合する凹凸部を設けて、前記凹形形状のプロテクタを揺動自在に支持することを特徴とする請求項６記載の粘度計。
【請求項８】
前記プロテクタは、液たれ防止用の凸状部を有することを特徴とする請求項１から７のいずれか１項記載の粘度計。
【請求項９】
前記測定子は、振動式粘度計に用いられるものであって、平板状部材から構成され、同一形状の一対が同一平面上に配置されることを特徴とする請求項１から８のいずれか１項記載の粘度計。
【発明の詳細な説明】
【０００１】
【発明の属する技術分野】
この発明は、粘度計に関し、特に、粘度計の測定子を防護する技術に関するものである。
【０００２】
【従来の技術】
液体の粘度を測定し、品質管理などに利用する粘度計は、例えば、食品生産の際などに広く利用されている。このような用途に用いられる粘度計の一種として、例えば、特許文献１に開示されているような、振動式の粘度計がある。
【０００３】
この特許文献１に開示されている粘度計は、一対の測定子を粘度測定対象物中に浸漬し、測定子を電磁振動により、逆位相で共振振動させて、電磁振動を与える駆動部の駆動電流を連続的に変化させたときの測定子の振幅を測定し、駆動電流値と応答振幅値との関係から対象物の粘度を測定する。
【０００４】
このような構成の粘度計では、測定子は、金属製などの薄い平板から構成されていて、電磁振動は、平板の面と水平方向に振動させる。
【０００５】
しかしながら、このような構成の従来の粘度計には、以下に説明する技術的な課題があった。
【０００６】
【特許文献１】
特開平８−１２８９４０号公報
【０００７】
【発明が解決しようとする課題】
すなわち、前述した振動式の粘度計では測定子を面と水平方向に振動させるので、測定子の厚さによる粘度測定の誤差を少なくするためには、測定子を極力薄くする必要がある。
【０００８】
ところで、粘度測定の際には、測定子は、粘度を測定するサンプル試料の液面に徐々に近づけて、サンプル試料中に浸漬して行われるが、この際に、測定子を勢いよくサンプル試料中に浸漬して、測定子の先端側をサンプル試料が収容されている容器底部に接触させることがある。
【０００９】
この場合、厚みの薄い測定子は、これが容器底部に接触すると、その衝撃で屈曲したり、測定子だけでなく、測定子の上方に設けられている振動などのセンサ部まで破損する恐れがある。
【００１０】
このような問題は、測定子をサンプル試料に浸漬するときだけでなく、サンプル試料を交換する際にも発生する。そして、測定子が変形や曲がりなどの損傷を受けていることに気づかずに測定した場合や、損傷に気づいたが、その程度が小さく、例えば、測定子に少々のソリが発生した場合などに測定を継続すると、測定子の固有振動数が変わってしまって、２つの測定子が共振をせず、正確な測定値が得られない。
【００１１】
本発明は、このような従来の問題点に鑑みてなされたものであって、その目的とするところは、測定子を外力から保護し、高精度の粘度測定を補償することができる粘度計を提供することにある。
【００１２】
【課題を解決するための手段】
上記目的を達成するために、本発明は、粘度測定の際に、粘度測定対象物中に浸漬される測定子を有する粘度計において、前記測定子の下方に突出して、前記測定子を外力による損傷から防護するプロテクタを設けた。
【００１３】
このように構成した粘度計によれば、測定子の下方に突出して、測定子を外力による損傷から防護するプロテクタを設けているので、測定子を粘度測定対象となるサンプル試料中に勢いよく浸漬したとしても、容器底部には、プロテクタが測定子よりも先に当接接触するので、測定子が損傷を受けることがなくなり、このようにして損傷を防止すると、高精度の粘度測定が補償される。
【００１４】
前記プロテクタは、測定子を吊下げ支持する粘度計本体に着脱自在に装着するができる。
【００１５】
この構成を採用すると、例えば、１つのサンプル試料の粘度測定後に、引き続いて粘度測定を行いたい場合などに、プロテクタを脱着して、測定子を清掃することができる。
【００１６】
前記プロテクタは、前記粘度計本体に揺動自在に装着され、前記測定子の下方突出位置から、上方へ概略９０°回動する水平よりも上方の位置に揺動させることができる。
【００１７】
この構成によれば、プロテクタを取外さなくても、揺動移動させることで、測定子を清掃することができる。
【００１８】
前記プロテクタは、前記測定子の外周側を凹状に包囲することができる。
この構成によれば、測定子の下方だけでなく、側方から加わる外力からも防護することができる。
【００１９】
前記粘度計本体は、前記測定子の外周を覆うセンサーカバーを備え、当該センサーカバーにフレームを取り付け、このフレームに前記プロテクタを装着することができる。
【００２０】
前記プロテクタは、金属プレートなどの弾性材で、底部とその両端に垂設された一対の側壁部とを有する凹形形状に形成され、前記底部が前記測定子の下方に突出し、かつ、前記側壁部が前記測定子の側方を覆うようにして、前記側壁部の先端側を弾性変形させて前記フレームに着脱自在に装着することができる。
【００２１】
前記フレームと前記側壁部の開口端部には、相互に嵌合する凹凸部を設けて、前記凹形形状のプロテクタを揺動自在に支持することができる。
【００２２】
前記プロテクタには、液たれ防止用の凸状部を設けることができる。
前記測定子は、振動式粘度計に用いられるものであって、平板状部材から構成され、同一形状の一対を同一平面上に配置することができる。
【００２３】
【発明の実施の形態】
以下、本発明の好適な実施の形態について、添付図面に基づいて詳細に説明する。図１から図３は、本発明にかかる粘度計の一実施例を示している。同図に示した粘度計は、粘度測定の際に、粘度測定対象物中に浸漬される一対の同一形状の測定子１０を備えている。
【００２４】
測定子１０は、粘度測定対象物中に浸漬され、電磁振動により、一対が逆位相で共振振動させられ、その際に、電磁振動を与える駆動部の駆動電流を連続的に変化させたときの測定子１０の振幅を測定し、駆動電流値と応答振幅値との関係から対象物の粘度が測定される。
【００２５】
測定子１０は、セラミックス，金属などの薄い平板から構成されていて、粘度測定の際には、粘度測定対象物中に下端側の一部が浸漬され、この状態で面と水平（厚み）方向に電磁振動させられる。
【００２６】
一対の測定子１０は、先端側に概略円形の拡径部１０ａが設けられ、拡径部１０ａの上端側に支持部１０ｂが一体に設けられいて、同一形状に形成されている。各測定子１０は、平板状の面と水平方向の中心軸が、同一平面上に位置するように、支持部１０ｂが粘度計本体１２に吊下げ支持されている。
【００２７】
粘度計本体１２内には、測定子１０に電磁振動を加えるコイルやマグネットで構成された駆動部、駆動部の電流を測定するセンサなどが内蔵されている（図示省略）。また、粘度計本体１２一端側には、測定子１０の上部側を覆うセンサーカバー１３が垂設支持されている。
【００２８】
以上のような粘度計としての基本的な構成は、従来のこの種のものと実質的に同じであるが、本実施例の粘度計は、以下の点に顕著な特徴がある。すなわち、本実施例の粘度計では、測定子１０の下方に突出して、測定子１０を外力による損傷から防護するプロテクタ１４を設けている。
【００２９】
本実施例のプロテクタ１４は、金属プレートなどの弾性材で形成された比較幅が狭い薄板状のものであって、底部１４ａと、この底部１４ａの両端に垂設された一対の側壁部１４ｂとを備え、正面側から見た形状が概略凹形に形成されている。
【００３０】
底部１４ａは、粘度計本体１２に吊下げ支持されている一対の測定子１０を正面側から見た際に（図１参照）、所定の間隔を隔てて、同一平面上に配置されている一対の測定子１０の各拡径部１０ａの両端よりも、左右方向に所定長さだけ突出する長さを有している。
【００３１】
底部１４ａの両端に垂設された一対側壁部１４ｂは、粘度計本体１２に吊下げ支持されている一対の測定子１０を正面側から見た際に（図１参照）、各測定子１０の外端縁から所定の距離を隔てて、各測定子１０の外端縁に概略沿うようにして、上方に延設されている。
【００３２】
このように構成した本実施例のプロテクタ１４は、一対の測定子１０の外周を凹状に包囲しており、このようなプロテクタ１４を用いると、各測定子１０の振動方向に対して、重なる部分が全く存在しないので、粘度測定の際に、面と水平方向に電磁振動する測定子１０の振動に何ら影響を及ぼすことなく、測定子１０の下方だけでなく、側方から加わる外力からも防護することでできる。
【００３３】
各側壁部１４ｂの上端側の開口端部１４ｃは、その下方側よりも間隔が大きくなるように、段状に拡幅されている。各開口端部１４ｃの概略上下方向の中央部分には、ズ３にその詳細を拡大して示すように、所定深さの円形状の凹部１４ｄが設けられている。
【００３４】
本実施例の場合、プロテクタ１４は、センサーカバー１３を介して、粘度計本体１２に着脱自在に装着されている。プロテクタ１４の支持構造は、センサカバー１３にフレーム１６を取り付け、このフレーム１６にプロテクタ１４が装着されている。
【００３５】
フレーム１６は、金属板などで形成された板状のものであって、本実施例の場合、同一形状のものが一対用いられ、一対のフレーム１６は、センサカバー１３の幅方向の両端側にあって、下方に突出するようにして相互に対向配置されている。
【００３６】
各フレーム１６には、内面側に突出する円形状の凸部１６ａと、この凸部１６ａの両側に設けられた一対のストッパ突起１６ｂ，１６ｃが設けられている。凸部１６ａは、プロテクタ１４の開口端部１４ｃに設けられた凹部１４ｄと嵌合可能な形状に形成されている。
【００３７】
ストッパ突起１６ｂ，１６ｃは、プロテクタ１４を回動させた際に、開口端部１４ｃの幅方向の縁がこれに当接することにより、プロテクタ１４の回動移動を規制するものである。
【００３８】
なお、図１〜図３に符号１４ｅで示した部材は、プロテクタ１４の開口端部１４ｃに取り付けられたつまみであって、このつまみ１４ｅは、プロテクタ１４を回動移動させる際に使用される。
【００３９】
以上のように構成されたプロテクタ１４は、フレーム１６に対して、以下のようにして装着される。プロテクタ１４をフレーム１６に装着する際には、凹状に形成された開口端部１４ｃを、相互に近接する方向に弾性変形させ、開口端部１４ｃ間の間隔が、対向配置されているフレーム１６の間隔よりも小さくなるようにして、フレーム１６間に挿入し、開口端部１４ｃの弾性変形を解除する。
【００４０】
この際に、開口端部１４ｃに設けられている凹部１４ｄ内に、各フレーム１６に設けられている凸部１６ａを嵌合させる。このようにして、凹部１４ｄと凸部１６ａとを凹凸嵌合させると、プロテクタ１４は、この嵌合部分を支持点として、上下方向に揺動自在に支持される。
【００４１】
なお、プロテクタ１４をフレーム１６から取外す際には、上記と逆の操作を行い、開口端部１４ｃを弾性変形させて、間隔を狭めると、簡単に脱着することができる。
【００４２】
本実施例の場合、プロテクタ１４の回動移動は、図２に実線位置で示すように、一方のストッパ突起１６ｂに開口端部１４ｃの端縁が当接した位置と、同図に点線で示すように、他方のストッパ突起１６ｃに開口端部１４ｃの端縁が当接した位置との２つの位置を取ることができる。
【００４３】
すなわち、図２に示した実線位置は、プロテクタ１４が下方に移動した、回動の概略下死点位置であって、プロテクタ１４は、ほぼ垂設状態になって、底部１４ａが、各測定子１０の先端よりも下方に突出した位置となる。
【００４４】
なお、この位置では、図２に示すように、各測定子１０の面と水平方向の中心軸Ｌに対して、プロテクタ１４の側壁部１４ｂの側端縁が、中心軸Ｌの前方側にあって、測定子１０の振動に影響を与えないように配慮している。
【００４５】
また、図２に示した点線位置は、実線位置から概略９０°上方に回動した、回動の概略上死点位置であって、プロテクタ１４は、水平よりも上方に位置する。このように構成したプロテクタ１４では、測定子１０の下方突出位置から、上方へ概略９０°回動移動させて、水平よりも上方の位置に揺動させることで、プロテクタ１４を取外さなくても、測定子１０を清掃することができる。
【００４６】
さて、以上のように構成した粘度計によれば、測定子１０の下方に突出して、測定子１０を外力による損傷から防護するプロテクタ１４を設けているので、測定子１０を粘度測定対象となるサンプル試料中に勢いよく浸漬したとしても、容器底部には、プロテクタ１４が測定子よりも先に当接接触するので、測定子１０が変形などの損傷を受けることがなくなる。
【００４７】
このようにして、測定子１０の損傷、すなわち、曲がりなどの変形が防止されると、高精度の粘度測定を長期に亘って補償することができる。
【００４８】
また、本実施例の場合には、プロテクタ１４は、測定子１０を吊下げ支持する粘度計本体１２に着脱自在に装着されているので、例えば、１つのサンプル試料の粘度測定後に、引き続いて粘度測定を行いたい場合などに、プロテクタ１４を脱着して、測定子１０を清掃することができる。
【００４９】
なお、上記実施例では、詳細を図示したいないが、プロテクタ１４の底部１４ａには、粘度測定対象物を収容して、液たれ防止用の凸状部を下方側に突出するように設けることができる。
【００５０】
【発明の効果】
以上、詳細に説明したように、本発明にかかる粘度計によれば、測定子を外力から保護することができる。
【図面の簡単な説明】
【図１】本発明にかかる粘度計の正面図である。
【図２】図１に示した粘度計の側面図である。
【図３】図１のＡ部拡大図である。
【符号の説明】
１０        測定子
１２        粘度計本体
１３        センサカバー
１４        プロテクタ
１４ａ      底部
１４ｂ      側壁部
１４ｃ      開口端部
１４ｄ      凹部
１６        フレーム
【図１】
2004325279.tif 000003
【図２】
2004325279.tif 000004
【図３】
2004325279.tif 000005